(57)【特許請求の範囲】
【請求項１】
印刷手段と、
複数のオブジェクトを含みかつ画像を前記印刷手段によって用紙に印刷する処理に関する設定を行うため画面の画面データを記憶する画面データ記憶手段と、
出力する対象の画像である対象画像の画像データを取得する対象画像取得手段と、
前記対象画像の出力先の媒体が電子ペーパである場合に、前記画面データに基づいて前記画面を、前記複数のオブジェクトのうち前記電子ペーパに関係しない無関係オブジェクトを隠しまたは配置せずに表示する、画面表示手段と、
前記無関係オブジェクトを隠しまたは配置せずに前記画面が表示されている際に指定された条件に基づいて前記電子ペーパへ前記画像データを出力する画像データ出力手段と、
を有することを特徴とする画像出力装置。
【請求項２】
前記画面表示手段は、前記無関係オブジェクトとして、用紙のサイズを指定するためのオブジェクト、用紙の印刷面を指定するためのオブジェクト、用紙の種類を指定するためのオブジェクト、または印刷物の仕上げを指定するためのオブジェクトを隠しまたは配置せずに、前記画面を表示する、
請求項１記載の画像出力装置。
【請求項３】
前記印刷手段へ供給するために前記用紙をセットする位置または前記用紙が前記印刷手段もしくはフィニッシャから排出される位置に所定の範囲のサイズの物体が置かれていることを検知し、かつ、所定の状態を示すデータを受信することによって、前記媒体が前記電子ペーパであることを検知する、検知手段、を有し、
前記画面表示手段は、前記媒体が前記電子ペーパであることが前記検知手段によって検知された場合に、前記画面を、前記無関係オブジェクトを隠しまたは配置せずに表示する、
請求項１または請求項２記載の画像出力装置。
【請求項４】
前記媒体が前記電子ペーパであることが前記検知手段によって検知された場合に、前記印刷手段への電力の供給を抑制する、省電力手段、を有する、
請求項３記載の画像出力装置。
【請求項５】
前記無関係オブジェクトを隠しまたは配置せずに前記画面が表示されているときに、前記電子ペーパが置かれていることが検知されなくなった場合に、前記省電力手段は、前記印刷手段への電力の供給の抑制を終了する、
請求項４記載の画像出力装置。
【請求項６】
前記無関係オブジェクトを隠しまたは配置せずに前記画面が表示されているときに、前記電子ペーパが置かれていることが前記検知手段によって検知されなくなった場合に、前記画面表示手段は、前記無関係オブジェクトを隠さずに配置して前記画面を表示する、
請求項１ないし請求項５のいずれかに記載の画像出力装置。
【請求項７】
前記無関係オブジェクトは、前記電子ペーパのスペックによって異なる、
請求項１ないし請求項６のいずれかに記載の画像出力装置。
【請求項８】
画像読取手段と、
複数のオブジェクトを含みかつ画像を前記画像読取手段によって用紙から読み取る処理に関する設定を行うため画面の画面データを記憶する画面データ記憶手段と、
入力する対象である対象画像の画像データが記憶されている媒体が電子ペーパである場合に、前記画面データに基づいて前記画面を、前記複数のオブジェクトのうち前記電子ペーパに関係しない無関係オブジェクトを隠しまたは配置せずに表示する、画面表示手段と、
前記無関係オブジェクトを隠しまたは配置せずに前記画面が表示されている際に指定された条件に基づいて前記電子ペーパから前記画像データを取得する画像データ取得手段と、
を有することを特徴とする画像入力装置。
【請求項９】
前記画面表示手段は、前記無関係オブジェクトとして、前記用紙のサイズを指定するためのオブジェクト、前記用紙から読み取る画像のカラーまたはモノクロの種別を指定するためのオブジェクト、前記用紙の読取面が両面であることを指定するためのオブジェクト、または前記用紙の加工を指定するためのオブジェクトを隠しまたは配置せずに、前記画面を表示する、
請求項８記載の画像入力装置。
【請求項１０】
前記画像読取手段のオートドキュメントフィーダにおける原稿のセット位置または前記画像読取手段のガラス板に所定の範囲のサイズの物体が置かれたことを検知し、かつ、所定の状態を示すデータを受信することによって、前記媒体が前記電子ペーパであることを検知する、検知手段、を有し、
前記画面表示手段は、前記媒体が前記電子ペーパであることが前記検知手段によって検知された場合に、前記画面を、前記無関係オブジェクトを隠しまたは配置せずに表示する、
請求項８または請求項９記載の画像入力装置。
【請求項１１】
前記媒体が前記電子ペーパであることが前記検知手段によって検知された場合に、前記画像読取手段への電力の供給を抑制する、省電力手段、を有する、
請求項１０記載の画像入力装置。
【請求項１２】
前記無関係オブジェクトを隠しまたは配置せずに前記画面が表示されているときに、前記電子ペーパが置かれていることが検知されなくなった場合に、前記省電力手段は、前記画像読取手段への電力の供給の抑制を終了する、
請求項１１記載の画像入力装置。
【請求項１３】
前記無関係オブジェクトを隠しまたは配置せずに前記画面が表示されているときに、前記電子ペーパが置かれていることが前記検知手段によって検知されなくなった場合に、前記画面表示手段は、前記無関係オブジェクトを隠さずに配置して前記画面を表示する、
請求項８ないし請求項１２のいずれかに記載の画像入力装置。
【請求項１４】
前記無関係オブジェクトは、前記電子ペーパのスペックによって異なる、
請求項８ないし請求項１３のいずれかに記載の画像入力装置。
【請求項１５】
複数のオブジェクトを含みかつ画像を用紙から読み取りまたは用紙へ印刷する処理に関する設定を行うため画面の画面データを記憶する画面データ記憶手段と、
対象画像の入力元または出力先の媒体が電子ペーパである場合に、前記画面データに基づいて前記画面を、前記複数のオブジェクトのうち前記電子ペーパに関係しない無関係オブジェクトを隠しまたは配置せずにディスプレイに表示させる、表示処理手段と、
を有することを特徴とするコンピュータ。
【請求項１６】
印刷手段と、複数のオブジェクトを含みかつ画像を前記印刷手段によって用紙に印刷する処理に関する設定を行うため画面の画面データを記憶する画面データ記憶手段と、を有する画像出力装置における画面表示方法であって、
前記画像出力装置に、
出力する対象の画像である対象画像の画像データを取得する対象画像取得処理を実行させ、
前記対象画像の出力先の媒体が電子ペーパである場合に、前記画面データに基づいて前記画面を、前記複数のオブジェクトのうち前記電子ペーパに関係しない無関係オブジェクトを隠しまたは配置せずに表示する、画面表示処理を実行させ、
前記無関係オブジェクトを隠しまたは配置せずに前記画面が表示されている際に指定された条件に基づいて前記電子ペーパへ前記画像データを出力する画像データ出力処理を実行させる、
ことを特徴とする画面表示方法。
【請求項１７】
画像読取手段と、複数のオブジェクトを含みかつ画像を前記画像読取手段によって用紙から読み取る処理に関する設定を行うため画面の画面データを記憶する画面データ記憶手段と、を有する画像入力装置における画面表示方法であって、
前記画像入力装置に
入力する対象である対象画像の画像データが記憶されている媒体が電子ペーパである場合に、前記画面データに基づいて前記画面を、前記複数のオブジェクトのうち前記電子ペーパに関係しない無関係オブジェクトを隠しまたは配置せずに表示する、画面表示処理を実行させ、
前記無関係オブジェクトを隠しまたは配置せずに前記画面が表示されている際に指定された条件に基づいて前記電子ペーパから前記画像データを取得する画像データ取得処理を実行させる、
ことを特徴とする画面表示方法。
【請求項１８】
印刷手段と、複数のオブジェクトを含みかつ画像を前記印刷手段によって用紙に印刷する処理に関する設定を行うため画面の画面データを記憶する画面データ記憶手段と、を有する画像出力装置に用いられるコンピュータプログラムであって、
前記画像出力装置に、
出力する対象の画像である対象画像の画像データを取得する対象画像取得処理を実行させ、
前記対象画像の出力先の媒体が電子ペーパである場合に、前記画面データに基づいて前記画面を、前記複数のオブジェクトのうち前記電子ペーパに関係しない無関係オブジェクトを隠しまたは配置せずに表示する、画面表示処理を実行させ、
前記無関係オブジェクトを隠しまたは配置せずに前記画面が表示されている際に指定された条件に基づいて前記電子ペーパへ前記画像データを出力する画像データ出力処理を実行させる、
ことを特徴とするコンピュータプログラム。
【請求項１９】
画像読取手段と、複数のオブジェクトを含みかつ画像を前記画像読取手段によって用紙から読み取る処理に関する設定を行うため画面の画面データを記憶する画面データ記憶手段と、を有する画像入力装置に用いられるコンピュータプログラムであって、
前記画像入力装置に
入力する対象である対象画像の画像データが記憶されている媒体が電子ペーパである場合に、前記画面データに基づいて前記画面を、前記複数のオブジェクトのうち前記電子ペーパに関係しない無関係オブジェクトを隠しまたは配置せずに表示する、画面表示処理を実行させ、
前記無関係オブジェクトを隠しまたは配置せずに前記画面が表示されている際に指定された条件に基づいて前記電子ペーパから前記画像データを取得する画像データ取得処理を実行させる、
ことを特徴とするコンピュータプログラム。
【発明の詳細な説明】
【技術分野】
【０００１】
本発明は、電子ペーパから画像を取得しまたは電子ペーパへ画像を出力する装置における画面の表示の技術に関する。
【背景技術】
【０００２】
近年、エコロジーに鑑み、省資源および省エネルギーが求められている。そこで、省資源および省エネルギーを図るために様々な方法が提案されまたは実行されている。
【０００３】
例えば、画像を、従来は、用紙に印刷することによって出力していた。しかし、近年、電子ペーパ（ｅＰａｐｅｒ）またはタブレットＰＣなどの可搬型の表示装置に表示させることによって出力する方法が提案され実行されている。これにより、ペーパレスを図り、紙の資源を節約することができる。さらに、紙を製造するための電力をも節約することができる。しかも、電子ペーパは、画像を表示させたままにする際にほとんど電力を必要としない。したがって、電子ペーパによると、消費電力をタブレットＰＣよりも減らすことができる。
【０００４】
また、近年、コピー、ＰＣプリント、スキャン、ファックス、およびファイルサーバなどの様々な機能を備えた画像形成装置が普及している。このような画像形成装置は、「複合機」または「ＭＦＰ（Multi Function Peripherals）」などと呼ばれる。画像形成装置にも、近年、エコロジーのための様々な工夫がなされている。電子ペーパとの連携も、工夫の１つである。
【０００５】
例えば、次の方法が提案されている。複合機は、電子ペーパとデータの通信を行うことによって、所定の領域における電子ペーパの存在有無を検出する。そして、複合機は、原稿搬送部または用紙搬送部の所定の領域に電子ペーパが存在する場合に、電子ペーパとの通信を伴う処理のための所定のモードの実行を開始する（特許文献１）。
【先行技術文献】
【特許文献】
【０００６】
【特許文献１】特開２０１０−１６６３８４号公報
【発明の概要】
【発明が解決しようとする課題】
【０００７】
画像形成装置が電子ペーパと連携して様々な処理を行うことができるようになると、ペーパレスを図ることができるだけでなく、ユーザにとって便利である。ドキュメントの量が多ければ多いほど、用紙に出力すると嵩が多くなる。しかし、電子ペーパであれば、メモリの量の範囲内であれば、嵩が増えることがない。また、電子ペーパであれば、大量のドキュメントの中から必要な情報を容易に検索することができる。
【０００８】
しかし、画像形成装置は、既に多くの機能を有している。したがって、画像形成装置には、設定などの操作のための様々な画面が用意されている。電子ペーパと連携した機能が増えると、画面がますます多くなる。画面が増えると、ユーザは、操作の仕方を新たに覚えなければならないので、面倒である。一方、画像形成装置の開発者も、新たな画面を設計しなければならず、面倒である。開発のコストも掛かってしまう。
【０００９】
本発明は、電子ペーパとの連携の際の画面に関するこれらの問題点を解決することを、目的とする。
【課題を解決するための手段】
【００１０】
本発明の一形態に係る画像出力装置は、印刷手段と、複数のオブジェクトを含みかつ画像を前記印刷手段によって用紙に印刷する処理に関する設定を行うため画面の画面データを記憶する画像データ記憶手段と、出力する対象の画像である対象画像の画像データを取得する対象画像取得手段と、前記対象画像の出力先の媒体が電子ペーパである場合に、前記画面データに基づいて前記画面を、前記複数のオブジェクトのうち前記電子ペーパに関係しない無関係オブジェクトを隠しまたは配置せずに表示する、画面表示手段と、前記無関係オブジェクトを隠しまたは配置せずに前記画面が表示されている際に指定された条件に基づいて前記電子ペーパへ前記画像データを出力する画像データ出力手段と、を有する。
【００１１】
好ましくは、前記画面表示手段は、前記無関係オブジェクトとして、用紙のサイズを指定するためのオブジェクト、用紙の印刷面を指定するためのオブジェクト、用紙の種類を指定するためのオブジェクト、または印刷物の仕上げを指定するためのオブジェクトを隠しまたは配置せずに、前記画面を表示する。
【００１２】
または、前記印刷手段へ供給するために前記用紙をセットする位置または前記用紙が前記印刷手段もしくはフィニッシャから排出される位置に所定の範囲のサイズの物体が置かれていることを検知し、かつ、所定の状態を示すデータを受信することによって、前記媒体が前記電子ペーパであることを検知する、検知手段、を有し、前記画面表示手段は、前記媒体が前記電子ペーパであることが前記検知手段によって検知された場合に、前記画面を、前記無関係オブジェクトを隠しまたは配置せずに表示する。
【００１３】
本発明の一形態に係る画像入力装置は、画像読取手段と、複数のオブジェクトを含みかつ画像を前記画像読取手段によって用紙から読み取る処理に関する設定を行うため画面の画面データを記憶する画像データ記憶手段と、入力する対象である対象画像の画像データが記憶されている媒体が電子ペーパである場合に、前記画面データに基づいて前記画面を、前記複数のオブジェクトのうち前記電子ペーパに関係しない無関係オブジェクトを隠しまたは配置せずに表示する、画面表示手段と、前記無関係オブジェクトを隠しまたは配置せずに前記画面が表示されている際に指定された条件に基づいて前記電子ペーパから前記画像データを取得する画像データ取得手段と、を有する。
【００１４】
好ましくは、前記画面表示手段は、前記無関係オブジェクトとして、前記用紙のサイズを指定するためのオブジェクト、前記用紙から読み取る画像のカラーまたはモノクロの種別を指定するためのオブジェクト、前記用紙の読取面が両面であることを指定するためのオブジェクト、または前記用紙の加工を指定するためのオブジェクトを隠しまたは配置せずに、前記画面を表示する。
【００１５】
または、前記画像読取手段のオートドキュメントフィーダにおける原稿のセット位置または前記画像読取手段のガラス板に所定の範囲のサイズの物体が置かれたことを検知し、かつ、所定の状態を示すデータを受信することによって、前記媒体が前記電子ペーパであることを検知する、検知手段、を有し、前記画面表示手段は、前記媒体が前記電子ペーパであることが前記検知手段によって検知された場合に、前記画面を、前記無関係オブジェクトを隠しまたは配置せずに表示する。
【発明の効果】
【００１６】
本発明によると、画像出力装置等と電子ペーパとの連携のための画面を設計する際の開発者の負担を軽減することができる。また、ユーザが新たな操作を一から覚える必要のない画面を提供することができる。
【図面の簡単な説明】
【００１７】
【図１】ネットワークシステムの全体的な構成の例を示す図である。
【図２】電子ペーパのハードウェア構成の例を示す図である。
【図３】画像形成装置および電子ペーパの機能的構成の例を示す図である。
【図４】画像形成装置のハードウェア構成の例を示す図である。
【図５】操作パネルの例を示す図である。
【図６】入力画像処理部およびプリンタユニットの構成の例を示す図である。
【図７】設定画面の構成の例を示す図である。
【図８】属性データの例を示す図である。
【図９】媒体種類判別処理の流れの例を説明するフローチャートである。
【図１０】設定画面表示処理の流れの例を説明するフローチャートである。
【図１１】隠蔽要否判別処理の流れの例を説明するフローチャートである。
【図１２】コピージョブに関する設定のための設定画面の表示の形態の例を示す図である。
【図１３】コピージョブに関する設定のための設定画面の表示の形態の例を示す図である。
【図１４】コピージョブに関する設定のための設定画面の表示の形態の例を示す図である。
【図１５】コピージョブに関する設定のための設定画面の表示の形態の例を示す図である。
【図１６】コピージョブに関する設定のための設定画面の表示の形態の例を示す図である。
【図１７】コピージョブに関する設定のための設定画面の表示の形態の例を示す図である。
【図１８】コピージョブに関する設定のための設定画面の表示の形態の例を示す図である。
【図１９】コピージョブに関する設定のための設定画面の表示の形態の例を示す図である。
【図２０】コピージョブに関する設定のための設定画面の表示の形態の例を示す図である。
【図２１】コピージョブに関する設定のための設定画面の表示の形態の例を示す図である。
【図２２】コピージョブに関する設定のための設定画面の表示の形態の例を示す図である。
【図２３】コピージョブに関する設定のための設定画面の表示の形態の例を示す図である。
【図２４】コピージョブに関する設定のための設定画面の表示の形態の例を示す図である。
【図２５】コピージョブに関する設定のための設定画面の表示の形態の例を示す図である。
【図２６】コピージョブに関する設定のための設定画面の表示の形態の例を示す図である。
【図２７】コピージョブに関する設定のための設定画面の表示の形態の例を示す図である。
【図２８】コピージョブに関する設定のための設定画面の表示の形態の例を示す図である。
【図２９】コピージョブに関する設定のための設定画面の表示の形態の例を示す図である。
【図３０】省電力等設定データの例を示す図である。
【図３１】画像形成装置における全体的な処理の流れの例を説明するフローチャートである。
【図３２】ファックス送信ジョブに関する設定のための設定画面の表示の形態の例を示す図である。
【図３３】ファックス送信ジョブに関する設定のための設定画面の表示の形態の例を示す図である。
【発明を実施するための形態】
【００１８】
図１は、ネットワークシステムＮＳの全体的な構成の例を示す図である。図２は、電子ペーパ３のハードウェア構成の例を示す図である。図３は、画像形成装置１および電子ペーパ３の機能的構成の例を示す図である。図４は、画像形成装置１のハードウェア構成の例を示す図である。図５は、操作パネル１０ｅの例を示す図である。図６は、入力画像処理部１０ｈおよびプリンタユニット１０ｊの構成の例を示す図である。
【００１９】
図１に示すように、ネットワークシステムＮＳは、画像形成装置１、サーバ２、複数台の電子ペーパ（ｅＰａｐｅｒ）３、パーソナルコンピュータ４、および通信回線５などによって構成される。
【００２０】
ネットワークシステムＮＳは、役所、企業、または学校などの組織に設けられ、その組織のメンバによって使用される。以下、ある企業Ｘにおいて使用されるネットワークシステムＮＳを例に説明する。
【００２１】
通信回線５は、ＩＥＥＥ（Institute of Electrical and Electronics Engineers）８０２．３およびＩＥＥＥ８０２．１１などの規格に基づく通信回線であって、ハブ５１、ツイストペアケーブル５２、および無線基地局５３などによって構成される。画像形成装置１、サーバ２、およびパーソナルコンピュータ４は、ツイストペアケーブル５２を介してハブ５１に繋がれている。無線基地局５３もツイストペアケーブル５２を介してハブ５１に繋がれている。各電子ペーパ３は、無線基地局５３に無線で接続される。このような構成により、画像形成装置１、サーバ２、各電子ペーパ３、およびパーソナルコンピュータ４同士は、通信回線５を介して通信することができる。
【００２２】
サーバ２は、ネットワークの各種のサービスをユーザへ提供するサーバ機である。例えば、ＦＴＰ（File Transfer Protocol）によってファイルを受信しまたは提供するサービス、電子メールの送受信のサービス、ＷｅｂＤＡＶ（Web-based Distributed Authoring and Versioning）による分散ファイルシステムのサービス、およびディレクトリサービスなどを提供する。
【００２３】
電子ペーパ３は、図２に示すように、全体制御部３０ａ、電源部３０ｂ、無線通信部３０ｃ、表示データメモリ３０ｄ、駆動電極３０ｅ、駆動制御部３０ｆ、液晶層３０ｇ、前面パネル３０ｈ、および操作ボタン３０ｉなどによって構成される。
【００２４】
全体制御部３０ａは、電子ペーパ３の全体的な制御を行う。また、後述するプログラムを実行する。全体制御部３０ａとして、ＣＰＵ（Central Processing Unit）などが用いられる。電源部３０ｂは、電子ペーパ３の各部へ電源を供給する。
【００２５】
無線通信部３０ｃは、ＩＥＥＥ８０２．１１の規格に基づいて画像形成装置１と通信を行う。
【００２６】
表示データメモリ３０ｄには、画像形成装置１から送信されてきた画像データおよび画像の表示に関する情報などが記憶される。そのほか、表示データメモリ３０ｄには、図３に示すステータスデータ送信部３０１およびスペックデータ送信部３０２などを実現するためのプログラムおよびデータが記憶されている。図３に示す各部の機能の全部または一部を回路などのハードウェアのみによって実現してもよい。
【００２７】
液晶層３０ｇは、ＲＧＢ（Red Green Blue）各色の液晶分子の層である。液晶層３０ｇの液晶分子は、駆動電極３０ｅによって向きを変えられる。これにより、画像が形成される。
【００２８】
駆動制御部３０ｆは、全体制御部３０ａに指令された通りに画像が形成されるように駆動電極３０ｅを制御する。
【００２９】
前面パネル３０ｈは、電子ペーパ３の前側の表面を覆う透明なフィルムまたはガラス板である。
【００３０】
操作ボタン３０ｉは、ユーザが電子ペーパ３に対して種々の指令を与えるために用いられる。
【００３１】
なお、本実施形態では、電子ペーパ３として液晶方式の電子ペーパを用いているが、マイクロカプセル方式または電気泳動方式など他の方式の電子ペーパを用いてもよい。
【００３２】
以下、説明の簡単のため、２台の電子ペーパ３Ａ、３Ｂが電子ペーパ３としてネットワークシステムＮＳに備わっている場合を例に説明する。
【００３３】
図１に戻って、パーソナルコンピュータ４は、画像形成装置１による印刷およびスキャンなどのサービスを受けるためのクライアントである。パーソナルコンピュータ４には、画像形成装置１を制御するためのドライバがインストールされている。パーソナルコンピュータ４の代わりにスマートフォンまたはＰＤＡ（Personal Digital Assistant）などの情報端末を用いてもよい。
【００３４】
画像形成装置１は、一般に複合機またはＭＦＰ（Multi Function Peripherals）などと呼ばれる画像処理装置であって、コピー、ＰＣプリント、ボックス、ファックス、およびスキャンなどの機能を集約した装置である。
【００３５】
ＰＣプリント機能は、印刷データをパーソナルコンピュータ４から受信して画像を用紙に印刷する機能である。「ネットワークプリンタ機能」または「ネットワークプリンティング機能」などと呼ばれることもある。
【００３６】
ボックス機能は、ユーザごとに「個人ボックス」または「ボックス」などと呼ばれる、パーソナルコンピュータにおけるフォルダまたはディレクトリなどに相当する記憶領域を設け、管理する機能である。ユーザは、自分のボックスに画像データなどをファイル単位で保存しておくことができる。
【００３７】
また、画像形成装置１は、画像の入力元の媒体および出力先の媒体として、紙またはフィルムなどのようなシートのほか電子ペーパ３を用いることができる。以下、電子ペーパ３と区別するために、紙またはフィルムなどのシートを「一般用紙」と記載する。
【００３８】
画像形成装置１は、図４に示すように、ＣＰＵ１０ａ、ＲＡＭ（Random Access Memory）１０ｂ、ＲＯＭ（Read Only Memory）１０ｃ、大容量記憶装置１０ｄ、操作パネル１０ｅ、ネットワークインタフェース１０ｆ、スキャナユニット１０ｇ、入力画像処理部１０ｈ、出力画像処理部１０ｉ、プリンタユニット１０ｊ、ファクシミリボード１０ｋ、ペーパ検出センサ１０ｍ、認証デバイス１０ｎ、および電力供給部１０ｐなどによって構成される。
【００３９】
操作パネル１０ｅは、図５に示すように、キー入力部１０ｅ１およびタッチパネルディスプレイ１０ｅ２などによって構成される。
【００４０】
キー入力部１０ｅ１は、いわゆるハードウェアキーであって、テンキー、スタートキー、ストップキー、およびファンクションキーなどによって構成される。
【００４１】
タッチパネルディスプレイ１０ｅ２は、ユーザに対してメッセージまたは指示を与えるための画面、ユーザが処理の指令および条件を入力するための画面、およびＣＰＵ１０ａによる処理の結果を示す画面などを表示する。また、ユーザが指で触れた位置を検知し、検知結果を示す信号をＣＰＵ１０ａに送信する。ユーザは、これらの画面を見ながらキー入力部１０ｅ１またはタッチパネルディスプレイ１０ｅ２を操作することによって、画像形成装置１に対して情報および指令を入力することができる。
【００４２】
ネットワークインタフェース１０ｆは、通信回線５を介してサーバ２、電子ペーパ３、およびパーソナルコンピュータ４とＴＣＰ／ＩＰ（Transmission Control Protocol/Internet Protocol）などのプロトコルで通信を行うための装置である。ネットワークインタフェース１０ｆとして、例えばＮＩＣ（Network Interface Card）が用いられる。
【００４３】
スキャナユニット１０ｇは、一般用紙に記されている写真、文字、絵、図表などの画像を読み取って画像データを生成する装置である。フルカラーの画像およびモノクロの画像どちらの読取りも可能である。この画像データは、ローデータ（Raw Data）である。スキャナユニット１０ｇは、図６に示すように、ＣＣＤ（Charge Coupled Device）１７１のほか、ガラス板１７２、ＡＤＦ（Auto Document Feeder）１７３、および原稿排出トレイ１７４などによって構成される。ＡＤＦ１７３は、原稿置き場にセットされた一般用紙を１枚ずつガラス板１７２へ搬送する。ＣＣＤ１７１は、ガラス板１７２に置かれた一般用紙をスキャンする。スキャンされた一般用紙は、原稿排出トレイ１７４へ排出される。なお、ユーザは、ＡＤＦ１７３に依らず一般用紙をガラス板１７２に直接置くこともできる。
【００４４】
入力画像処理部１０ｈは、スキャナユニット１０ｇによって得られた画像データに対して画像処理を施す。例えば、ＴＩＦＦ（Tagged Image File Format）またはＪＰＥＧ（Joint Photographic Experts Group）などのフォーマットの画像データに変換する。
【００４５】
出力画像処理部１０ｉは、一般用紙に印刷する画像の画像データに対して画像処理を施すことによって、ビットマップの画像データを生成する。例えば、２ｉｎ１印刷（２ｕｐ印刷）が指定された場合は、２ページ分の画像が１枚の一般用紙の１つの印刷面に集約されるように解像度を落としたビットマップの画像データを生成する。または、カラー画像をモノクロで印刷するように指定された場合は、グレースケールのビットマップの画像データを生成する。
【００４６】
プリンタユニット１０ｊは、入力画像処理部１０ｈによって生成された画像データまたは電子ペーパ３またはパーソナルコンピュータ４から受信した画像データに基づいて、印刷対象の画像を一般用紙に印刷する。フルカラーの画像およびモノクロの画像どちらの印刷も可能である。プリンタユニット１０ｊは、図６に示すように、印刷エンジン１８１、複数の給紙カセット１８２、手差し口１８３、用紙搬送機構１８４、および印刷物排出トレイ１８５などによって構成される。印刷エンジン１８１として、例えば、トナーを一般用紙に定着させる、電子写真方式の印刷エンジンが用いられる。給紙カセット１８２は、一般用紙のサイズ（Ａ３サイズおよびＡ４サイズなど）ごとに設けられており、何も印刷されていない一般用紙がストックされている。手差し口１８３には、いわゆる手差し印刷の際の印刷先の一般用紙がセットされる。用紙搬送機構１８４は、指定された一般用紙を１枚ずつ給紙カセット１８２または手差し口１８３から印刷エンジン１８１へ供給する。印刷エンジン１８１は、供給された一般用紙に画像を印刷する。一般用紙は、画像が印刷されると印刷物排出トレイ１８５へ排出される。
【００４７】
そのほか、プリンタユニット１０ｊには、ステープラ、パンチャ、およびＺ折り装置などのフィニッシャが備わっている。仕上げの条件が指定されている場合は、これらのフィニッシャは、印刷エンジン１８１によって画像が印刷された用紙（印刷物）をステープルで綴じ、印刷物にパンチ穴を開け、または印刷物をＺ折りに折る。そして、フィニッシャによって処理された印刷物は、印刷物排出トレイ１８５へ排出される。
【００４８】
ファクシミリボード１０ｋは、固定電話網を介してＧ３のプロトコルによってファクシミリ端末と通信を行う装置である。
【００４９】
ペーパ検出センサ１０ｍは、一般用紙または電子ペーパ３程度の大きさの面積を有する物体が特定の場所に置かれているか否かを検出する。「特定の場所」は、スキャナユニット１０ｇのガラス板１７２、ＡＤＦ１７３の原稿置き場、および原稿排出トレイ１７４ならびにプリンタユニット１０ｊの給紙カセット１８２、手差し口１８３、および印刷物排出トレイ１８５などである。物体が置かれていることを検出する方法として、用紙が置かれていることを検出する公知の方法が用いられる。例えば、ボタンのような凸部を１つまたは複数、同一平面上に設ける。さらに、これらの凸部が押されていることを検知するセンサを設ける。そして、凸部が押されたことをセンサによって検知することによって、物体が置かれていることを検知する。なお、特定の場所ごとに異なった検出方法を用いてもよい。
【００５０】
認証デバイス１０ｎは、ユーザを識別しユーザ認証を行う装置である。ユーザ認証の手法として、公知の方法が用いられる。例えば、指紋認証または声紋認証などのバイオメトリクス認証の手法も用いてもよい。または、ユーザのＩＣカードからユーザＩＤを読み取ってユーザ認証を行ってもよいし、ユーザが使用するパーソナルコンピュータ４の本体の識別子を取得しユーザ認証を行ってもよい。または、サーバ２がディレクトリサービスを提供する場合は、ユーザにユーザＩＤおよびパスワードを入力させ、サーバ２にユーザ認証を行わせてもよい。
【００５１】
ＲＯＭ１０ｃまたは大容量記憶装置１０ｄには、図３に示すステータスデータ取得処理部１０１、ペーパ設置状況データ取得部１０２、ペーパ種別判別部１０３、原稿側データ記憶部１０４、出力側データ記憶部１０５、スペックデータ取得処理部１０６、画面表示制御部１２１、省エネ処理部１２２、処理条件設定部１２３、ジョブ実行制御部１２４、画面データ記憶部１３１、および設定データ記憶部１３２などを実現するためのプログラムおよびデータが記憶されている。これらのプログラムおよびデータは、必要に応じてＲＡＭ１０ｂにロードされ、ＣＰＵ１０ａによってプログラムが実行される。
【００５２】
そのほか、ＲＯＭ１０ｃまたは大容量記憶装置１０ｄには、画像形成装置１の管理用のアプリケーションがインストールされている。例えば、ユーザ認証を行うアプリケーション、ユーザごとの画像の印刷およびファックスの送信の回数を集計するアプリケーション、画像形成装置１自身のステータスを管理するアプリケーション、ユーザごとに画面をカスタマイズするアプリケーション、文書のデータを管理するアプリケーション、部署ごとに課金するアプリケーション、および送信履歴および送信内容を管理記録するアプリケーションなどがインストールされている。
【００５３】
電力供給部１０ｐは、ＣＰＵ１０ａからの指令等に基づいて上述のＣＰＵ１０ａないし認証デバイス１０ｎの各部へ電力を供給する。
【００５４】
ユーザは、一般用紙および電子ペーパ３のどちらからも画像を画像形成装置１へ入力することができる。また、一般用紙および電子ペーパ３のどちらにも画像を出力することができる。一般用紙の用い方は従来通りなので、説明を省略する。
【００５５】
一方、電子ペーパ３から画像を入力する場合は、ユーザは、読取りの対象の画像が表示された状態で電子ペーパ３をスキャナユニット１０ｇのガラス板１７２、ＡＤＦ１７３の原稿置き場、および原稿排出トレイ１７４のうちのいずれかに置く。特に、ガラス板１７２または原稿置き場に置く点は、画像を一般用紙から読み取らせる場合と同様の作業であると、言える。
【００５６】
また、電子ペーパ３へ画像を出力する場合は、ユーザは、画像が表示されていない状態で電子ペーパ３をプリンタユニット１０ｊの給紙カセット１８２、手差し口１８３、または印刷物排出トレイ１８５に置く。特に、給紙カセット１８２または手差し口１８３に置く点は、何も描かれていない一般用紙に画像を印刷する場合と同様の作業であると、言える。
【００５７】
画像形成装置１は、画像の読取り元（入力元）または出力先の媒体の種類が電子ペーパである場合に、適宜、一般用紙用の設定画面を編集して表示する。もう少し具体的には、一般用紙用の設定画面の中の不要なオブジェクトを適宜隠して表示する。一般用紙用の設定画面として、従来の設定画面を用いることができる。
【００５８】
さらに、画像形成装置１は、画像の読取り元および書込み先それぞれの媒体の種類に応じて適宜、省電力化を図る。
【００５９】
設定画面の表示の処理および省電力化の処理は、図３に示す各部によって実現される。以下、図３に示す各部の処理内容などについて説明する。
【００６０】
〔画面の表示の処理〕
図７は、設定画面７の構成の例を示す図である。図８は、属性データ６ＰＤの例を示す図である。図９は、媒体種類判別処理の流れの例を説明するフローチャートである。図１０は、設定画面表示処理の流れの例を説明するフローチャートである。図１１は、隠蔽要否判別処理の流れの例を説明するフローチャートである。
【００６１】
ところで、画面は、一般に、様々なオブジェクトによって構成されている。本実施形態では、図７に示すような構成の設定画面７をタッチパネルディスプレイ１０ｅ２に表示する場合を例に説明する。
【００６２】
設定画面７は、主にユーザがジョブの設定値を指定するための画面であって、ジョブの種類ごとに用意されている。以下、一般用紙または電子ペーパ３に記されている画像を他の一般用紙または他の電子ペーパ３へ複写するジョブ、つまり、いわゆるコピージョブの設定画面７を例に説明する。
【００６３】
設定画面７は、メッセージ領域７Ａ、タブ領域７Ｂ、ジョブ設定領域７Ｃ、ステータス情報領域７Ｄ、およびジョブ操作領域７Ｅによって構成される。
【００６４】
メッセージ領域７Ａには、オブジェクトとして、ユーザへのメッセージを示すテキストなどのオブジェクト７Ｊａが配置される。
【００６５】
ところで、コピージョブに関して設定すべき種々の項目は、予めグループ分けされている。本実施形態では、各項目は、「基本設定」、「原稿指定」、「画質／濃度」、および「応用設定」の４つのグループのうちのいずれかにグループ分けされている。各グループについては、後に順次説明する。
【００６６】
タブ領域７Ｂには、オブジェクトとして、上述のグループごとに対応するタブなどのオブジェクト７Ｊｂが配置される。
【００６７】
ジョブ設定領域７Ｃには、オブジェクトとして、ユーザが押したタブなどに対応するグループに属する項目についてユーザが設定を行うためのボタンなどのオブジェクト７Ｊｃが配置される。
【００６８】
１つのグループに属する項目に関するオブジェクト７Ｊｃの個数が多すぎると、一度にジョブ設定領域７Ｃに表示しきれない。そこで、同じグループに属する項目を、さらにカテゴリごとの小グループにグループ分けし、小グループごとに纏めてオブジェクト７Ｊｃを配置する場合がある。つまり、複数のオブジェクト７Ｊｃによって構成されるグループが複数、用意されている。そして、これらのグループのうちのいずれか１つが任意に選択されると、選択されたグループのオブジェクト７Ｊｃがジョブ設定領域７Ｃに配置される。
【００６９】
ステータス情報領域７Ｄには、オブジェクトとして、画像形成装置１の状況または環境など（例えば、ＲＡＭ１０ｂの空き容量または現在の日時）を示すテキストなどのオブジェクト７Ｊｄが配置される。
【００７０】
ジョブ操作領域７Ｅには、オブジェクトとして、実行待ちのジョブに関する情報を示すテキストまたは実行待ちのジョブを操作するためのボタンなどのオブジェクト７Ｊｅが配置される。
【００７１】
以下、上述のこれらのオブジェクト７Ｊａ〜７Ｊｅを「オブジェクト７Ｊ」と総称する。
【００７２】
図３の画面表示制御部１２１は、所定のコマンドが入力されるなど所定のイベントが発生すると、設定画面７をタッチパネルディスプレイ１０ｅ２に表示する処理を、他の各部と連携して次のように行う。
【００７３】
画面データ記憶部１３１には、設定画面７ごとに、それをタッチパネルディスプレイ１０ｅ２に表示するための画面データ６ＳＤが記憶されている。画面データ６ＳＤは、設定画面７を構成するオブジェクト７Ｊごとの、それを描画するための画像ファイル６ＧＦと、設定画面７における各オブジェクト７Ｊの属性を示す属性データ６ＰＤとが集合したデータである。
【００７４】
画像ファイル６ＧＦは、例えばＧＩＦ（Graphics Interchange Format）またはビットマップなどのフォーマットの画像データである。オブジェクト７Ｊがテキスト（文字列）である場合は、画像ファイル６ＧＦとしてテキストデータまたはリッチテキストデータを用いてもよい。
【００７５】
属性データ６ＰＤには、図８に示すように、設定画面７のオブジェクト７Ｊごとにレコードが１つずつ設けられている。
【００７６】
あるオブジェクト７Ｊのレコードにおいて、「オブジェクト識別子」は、そのオブジェクト７Ｊを他のオブジェクト７Ｊと区別するためのＩＤ（identification）である。「オブジェクトファイル名」は、そのオブジェクト７Ｊの画像ファイル６ＧＦのファイル名である。「座標」は、設定画面７におけるそのオブジェクト７Ｊが配置される位置の座標である。
【００７７】
「媒体種類要件」は、そのオブジェクト７Ｊを隠す際の入力元および出力先それぞれの媒体の種類に関する要件である。具体的には、媒体種類要件が「入力元＝電子ペーパ」である場合は、入力元の媒体の種類が電子ペーパであればそのオブジェクト７Ｊを隠すことを意味する。「出力先＝電子ペーパ」である場合は、出力先の媒体の種類が電子ペーパであればそのオブジェクト７Ｊを隠すことを意味する。
【００７８】
「入力元スペック要件」は、画像の入力元の媒体の種類が電子ペーパである場合の、入力元のスペック（仕様）の要件である。つまり、電子ペーパ３のスペックが入力元スペック要件に該当する場合はそのオブジェクト７Ｊが表示され、該当しない場合は隠される。同様に、「出力先スペック要件」は、画像の出力先の媒体の種類が電子ペーパである場合の、出力先のスペック（仕様）の要件である。
【００７９】
そのオブジェクト７Ｊがジョブ設定領域７Ｃのレコードである場合は、そのレコードにグループ識別子が示される。「グループ識別子」は、そのオブジェクト７Ｊが属するグループを他のグループと識別するためのＩＤ（identification）である。
【００８０】
そのほか、画面データ記憶部１３１には、オブジェクト７Ｊごとに、そのオブジェクト７Ｊが選択された場合に実行すべきモジュールまたは手続の識別子を示すデータが必要に応じて記憶されている。
【００８１】
図３に戻って、ステータスデータ取得処理部１０１は、画像形成装置１の近隣にある各電子ペーパ３に対してステータス問合データ６１を送信することによって、ステータスデータを要求し取得する。「ステータスデータ」とは、電子ペーパ３の現在のステータス（状態）を示すデータである。以下、前面パネル３０ｈに画像が表示されているか否かを示すステータスデータを要求する場合を例に説明する。
【００８２】
電子ペーパ３のステータスデータ送信部３０１は、ステータス問合データ６１を受信すると、電子ペーパ３自身の前面パネル３０ｈに画像を現在表示しているか否かをチェックする。そして、チェック結果（「表示中」または「非表示」）および電子ペーパ３自身の識別子（例えば、ＭＡＣ（Media Access Control）アドレスまたはＩＰ（Internet Protocol）アドレス）を示すデータをステータスデータ６２として画像形成装置１へ送信する。このようにして、ステータスデータ６２が各電子ペーパ３から画像形成装置１へ提供される。なお、ネットワークシステムＮＳには上述の通り２台の電子ペーパ３（３Ａ、３Ｂ）があるので、ステータスデータ取得処理部１０１は、最多で２つのステータスデータ６２を取得する。一方の電子ペーパ３だけ電源がオンである場合は、１つしかステータスデータ６２が得られないし、両方の電子ペーパ３の電源がオフである場合は、１つもステータスデータ６２が得られない。後述するスペックデータ６６も、同様である。
【００８３】
ペーパ設置状況データ取得部１０２は、ステータスデータ取得処理部１０１によるステータスデータ６２の取得の処理と同時期に、物体が上述の各特定の場所に置かれているか否かをペーパ検出センサ１０ｍに問い合わせる。この際に、ペーパー検出センサ１０ｍへペーパ設置状況問合データ６３を送信する。
【００８４】
ペーパー検出センサ１０ｍは、ペーパ設置状況問合データ６３を受信すると、各特定の場所に物体が置かれているか否かをチェックする。そして、これらの特定の場所のうちの物体が置かれていることを検知した場所を示す検出結果データ６４を画像形成装置１へ送信する。このようにして、ペーパ設置状況データ取得部１０２は、検出結果データ６４を取得する。
【００８５】
画像形成装置１のペーパ種別判別部１０３は、ステータスデータ送信部３０１によってステータスデータ６２が取得され、かつ、ペーパ検出センサ１０ｍによって検出結果データ６４が取得されると、これらのデータに基づいて、画像の入力元の媒体の種類および出力先の媒体の種類を判別する。ここで、判別の処理の一例を、図９のフローチャートを参照しながら説明する。
【００８６】
ペーパ種別判別部１０３は、スキャナユニット１０ｇのガラス板１７２、ＡＤＦ１７３の原稿置き場、および原稿排出トレイ１７４のいずれかの特定の場所つまり入力側のいずれかの特定の場所がいずれかの検出結果データ６４に示されている場合は（図９の＃７０１でＹｅｓ）、いずれかのステータスデータ６２に「表示中」と示されていれば（＃７０２でＹｅｓ）、入力元の媒体の種類が電子ペーパであると判別する（＃７０３）。
【００８７】
ところで、原稿側データ記憶部１０４は、入力元の媒体つまり原稿側の媒体に関するデータを記憶している。具体的には、原稿側フラグ６Ｆ１および原稿側識別子データ６Ｕ１を記憶している。原稿側フラグ６Ｆ１は、原稿側の媒体の種類が電子ペーパであるか一般用紙であるかを示すフラグであって、「１」であれば電子ペーパであることを示し、「０」であれば一般用紙であることを示す。原稿側識別子データ６Ｕ１は、原稿側の媒体の種類が電子ペーパである場合に、この媒体として用いられる電子ペーパ３の識別子を示す。
【００８８】
入力元の媒体の種類が電子ペーパであると判別したら、ペーパ種別判別部１０３は、原稿側フラグ６Ｆ１を、「１」を示すように更新する（＃７０４）。さらに、原稿側識別子データ６Ｕ１に示される値を、「表示中」と示されるステータスデータ６２に示される識別子に更新する（＃７０５）。
【００８９】
一方、いずれのステータスデータ６２にも「表示中」と示されていなければ（＃７０２でＮｏ）、ペーパ種別判別部１０３は、入力元の媒体の種類が一般用紙であると判別する（＃７０６）。そして、原稿側フラグ６Ｆ１を、「０」を示すように更新する（＃７０７）。
【００９０】
また、ペーパ種別判別部１０３は、プリンタユニット１０ｊの給紙カセット１８２、手差し口１８３、および印刷物排出トレイ１８５のいずれの特定の場所つまり出力側のいずれかの特定の場所がいずれかの検出結果データ６４に示されている場合は（＃７０８でＹｅｓ）、いずれかのステータスデータ６２に「非表示」と示されていれば（＃７０９でＹｅｓ）、出力先の媒体の種類が電子ペーパであると判別する（＃７１０）。
【００９１】
ところで、出力側データ記憶部１０５は、出力先の媒体に関するデータを記憶している。具体的には、出力側フラグ６Ｆ２および出力側識別子データ６Ｕ２を記憶している。出力側フラグ６Ｆ２は、出力先の媒体の種類が電子ペーパであるか否かを示すフラグであって、「１」であれば電子ペーパであることを示し、「０」であれば一般用紙であることを示す。出力側識別子データ６Ｕ２は、出力側の媒体の種類が電子ペーパである場合に、この媒体として用いられる電子ペーパ３の識別子を示す。
【００９２】
出力先の媒体の種類が電子ペーパであると判別したら、ペーパ種別判別部１０３は、出力側フラグ６Ｆ２を、「１」を示すように更新する（＃７１１）。さらに、出力側識別子データ６Ｕ２に示される値を、「非表示」と示されるステータスデータ６２に示される識別子に更新する（＃７１２）。
【００９３】
一方、いずれのステータスデータ６２にも「非表示」と示されていなければ（＃７０９でＮｏ）、ペーパ種別判別部１０３は、出力先の媒体の種類が一般用紙であると判別する（＃７１３）。そして、出力側フラグ６Ｆ２を、「０」を示すように更新する（＃７１４）。
【００９４】
図３に戻って、スペックデータ取得処理部１０６は、入力元および出力先のうちの少なくとも一方が電子ペーパであるとペーパ種別判別部１０３によって判別された場合に、電子ペーパ３に対してスペック問合データ６５を送信することによって、スペックデータを要求し取得する。「スペックデータ」とは、電子ペーパ３のスペックを示すデータである。
【００９５】
電子ペーパ３のスペックデータ送信部３０２は、スペック問合データ６５を受信すると、電子ペーパ３自身のスペックおよび識別子を示すデータをスペックデータ６６として画像形成装置１へ送信する。
【００９６】
画像形成装置１の画面表示制御部１２１は、上述のデータに基づいて設定画面７を構成し、タッチパネルディスプレイ１０ｅ２に表示させる。上述のデータとは、各電子ペーパ３のスペックデータ６６、原稿側フラグ６Ｆ１、原稿側識別子データ６Ｕ１、出力側フラグ６Ｆ２、出力側識別子データ６Ｕ２、および画面データ６ＳＤである。スペックデータ６６は、スペックデータ取得処理部１０６によって取得されたものである。原稿側フラグ６Ｆ１および原稿側識別子データ６Ｕ１は、原稿側データ記憶部１０４に記憶されている。出力側フラグ６Ｆ２および出力側識別子データ６Ｕ２は、出力側データ記憶部１０５に記憶されている。画面データ６ＳＤは、画面データ記憶部１３１に記憶されている。
【００９７】
画面表示制御部１２１は、新たに設定画面７を表示させようとする場合は、図１０に示す手順で処理を実行する。
【００９８】
画面表示制御部１２１は、この設定画面７の画面データ６ＳＤの中の属性データ６ＰＤ（図８参照）に係る各オブジェクト７Ｊを配置した画面のビットマップデータを生成する。ここで、図１０の「Ｘ」が「Ｋ」である場合を例に、つまり、Ｋ番目のオブジェクト７Ｊを例に、配置の処理について説明する。
【００９９】
Ｋ番目のオブジェクト７Ｊのレコードにグループ識別子が何も示されていない場合は（図１０の＃７２２でＮｏ）またはデフォルトのグループ識別子が示されている場合は（＃７２２でＹｅｓ、＃７２３でＹｅｓ）、このオブジェクト７Ｊを隠すか否かを判別する（＃７２４）。この判別の処理は、図１１に示す手順で実行される。
【０１００】
画面表示制御部１２１は、このレコードに媒体種類要件が示される場合は（図１１の＃７４１でＹｅｓ）、入力元の媒体の種類または出力先の媒体の種類がこの媒体種類要件に合うか否かを判別する（＃７４２）。なお、入力元の媒体の種類は、原稿側フラグ６Ｆ１に示されており、出力先の媒体の種類は出力側フラグ６Ｆ２に示されている。よって、これらの値をチェックすれば、媒体種類要件を満たすか否かが分かる。
【０１０１】
そして、画面表示制御部１２１は、この媒体種類要件が満たされる場合は（＃７４３でＹｅｓ）、このオブジェクト７Ｊを隠すと判別する（＃７５０）。
【０１０２】
具体的には、媒体種類要件として「入力元＝電子ペーパ」が示されている場合は、原稿側フラグ６Ｆ１が「１」を示していれば、このオブジェクト７Ｊを隠すと判別する。または、「出力先＝電子ペーパ」が示されている場合は、出力側フラグ６Ｆ２が「１」を示していれば、このオブジェクト７Ｊを隠すと判別する。または、「入力元＝電子ペーパ」および「出力先＝電子ペーパ」の両方が示されている場合は、少なくとも一方が満たされていれば、すなわち、原稿側フラグ６Ｆ１および出力側フラグ６Ｆ２の少なくとも一方が「１」を示していれば、このオブジェクト７Ｊを隠すと判別する。
【０１０３】
一方、媒体種類要件を満たさない場合は（＃７４３でＮｏ）、画面表示制御部１２１は、このオブジェクト７Ｊを隠さないと判別する（＃７５１）。
【０１０４】
しかし、このレコードに媒体種類要件が示されない場合は（図１１の＃７４１でＮｏ）、入力元スペック要件および出力先スペック要件に関する判別を次のように行う。
【０１０５】
このレコードに入力元スペック要件が示されかつ入力元の媒体の種類が電子ペーパである場合は（＃７４４でＹｅｓ）、画面表示制御部１２１は、入力元である電子ペーパ３のスペックがこの入力元スペック要件を満たすか否かをチェックする（＃７４５）。つまり、この電子ペーパ３から取得されたスペックデータ６６に示されるスペックが、この入力元スペック要件を満たすか否かをチェックする。なお、この電子ペーパ３は、原稿側識別子データ６Ｕ１に示される識別子によって特定することができる。特定した識別子を示すスペックデータ６６に、この電子ペーパ３のスペックが示されている。
【０１０６】
そして、画面表示制御部１２１は、この電子ペーパ３のスペックがこの入力元スペック要件を満たさない場合は（＃７４６でＮｏ）、このオブジェクト７Ｊを隠すと判別する（＃７５０）。
【０１０７】
また、このレコードに出力先スペック要件が示されかつ出力先の媒体の種類が電子ペーパである場合は（＃７４７でＹｅｓ）、画面表示制御部１２１は、出力先である電子ペーパ３のスペックがこの出力先スペック要件を満たすか否かをチェックする（＃７４８）。つまり、この電子ペーパ３から取得されたスペックデータ６６に示されるスペックが、この出力先スペック要件を満たすか否かをチェックする。なお、この電子ペーパ３は、出力側識別子データ６Ｕ２に示される識別子によって特定することができる。特定した識別子を示すスペックデータ６６に、この電子ペーパ３のスペックが示されている。
【０１０８】
そして、画面表示制御部１２１は、この電子ペーパ３のスペックがこの出力先スペック要件を満たさない場合は（＃７４９でＮｏ）、このオブジェクト７Ｊを隠すと判別する（＃７５０）。
【０１０９】
図１０に戻って、画面表示制御部１２１は、このオブジェクト７Ｊを隠すと判別しなかった場合は（＃７２５でＮｏ）、このレコードに示されるオブジェクトファイル名の画像ファイル６ＧＦを読み出してビットマップデータに変換し（＃７２７、＃７２８）、このレコードに示される座標に配置する（＃７２９）。
【０１１０】
一方、このオブジェクト７Ｊを隠すと判別した場合は（＃７２５でＹｅｓ）、画面表示制御部１２１は、このオブジェクト７Ｊの座標に、このオブジェクト７Ｊの代わりに、マスクオブジェクト７Ｊｍを配置する（＃７２６）。マスクオブジェクト７Ｊｍは、このオブジェクト７Ｊを隠すことができるサイズの画像である。
【０１１１】
以上説明した、Ｋ番目のレコードに係るオブジェクト７Ｊに対する処理と同様の処理を、画面表示制御部１２１は、残りのオブジェクト７Ｊそれぞれについて実行する。これにより、設定画面７全体のビットマップデータが生成される。
【０１１２】
そして、画面表示制御部１２１は、設定画面７をタッチパネルディスプレイ１０ｅ２に表示させる。
【０１１３】
その後、他のグループが選択されたら、画面表示制御部１２１は、ジョブ設定領域７Ｃの中のオブジェクト７Ｊｃを、選択されたグループのオブジェクト７Ｊｃに変更して設定画面７全体のビットマップデータまたはジョブ設定領域７Ｃのビットマップデータを生成し直すことによって、設定画面７を更新する。
【０１１４】
なお、隣り合う複数のオブジェクト７Ｊを隠す場合は、これらのオブジェクト７Ｊを纏めて隠すことができる１つのマスクオブジェクト７Ｊｍを配置してもよい。
【０１１５】
図１２〜図２９は、コピージョブに関する設定のための設定画面７の表示の形態の例を示す図である。ここで、入力元および出力先それぞれの媒体の種類に応じた設定画面７の編集の例を、図１２〜図２９を参照しながら説明する。
【０１１６】
デフォルトのグループが基本設定のグループである場合は、画面表示制御部１２１は、入力元の媒体の種類も出力先の媒体の種類も一般用紙であれば、図１２のように、オブジェクト７Ｊを隠すことなく新たに設定画面７を表示させる。以下、入力元の媒体の種類も出力先の媒体の種類も一般用紙である場合を「通常コピー時」と記載する。
【０１１７】
しかし、入力元の媒体の種類のみが電子ペーパであれば、図１３のように、原稿設定のグループを選択するためのオブジェクト７Ｊｂ１およびカラーのグループ（小グループ）を選択するためのオブジェクト７Ｊｃ１をマスクオブジェクト７Ｊｍで隠す。
【０１１８】
また、出力先の媒体の種類のみが電子ペーパであれば、図１４のように、用紙のグループ（小グループ）を選択するためのオブジェクト７Ｊｃ２および仕上げのグループ（小グループ）を選択するためのオブジェクト７Ｊｃ３をマスクオブジェクト７Ｊｍで隠す。
【０１１９】
また、入力元および出力先の両方の媒体の種類が電子ペーパであれば、図１５のように、オブジェクト７Ｊｂ１、７Ｊｃ１、７Ｊｃ２、および７Ｊｃ３をマスクオブジェクト７Ｊｍで隠す。つまり、両方とも電子ペーパであれば、一方のみが電子ペーパであるときに隠したオブジェクト７Ｊをマスクオブジェクト７Ｊｍで隠す。以下、同様である。
【０１２０】
原稿指定のグループが選択された場合は、画面表示制御部１２１は、通常コピー時であれば、図１６のように、原稿に関する条件を設定するためのオブジェクト７Ｊｃを配置することによって設定画面７を更新する。出力先の媒体の種類のみが電子ペーパであるときも同様に、図１６のように更新する。
【０１２１】
しかし、入力元の媒体の種類が電子ペーパであれば、図１７のように、このグループに属するオブジェクト７Ｊｃをすべてマスクオブジェクト７Ｊｍで隠す。
【０１２２】
カラーのグループが選択された場合は、画面表示制御部１２１は、通常コピー時であれば、図１８のように、出力する画像のカラーに関する条件を設定するためのオブジェクト７Ｊｃを配置することによって設定画面７を更新する。出力先の媒体の種類のみが電子ペーパであって、出力先の電子ペーパ３のスペックが出力先スペック要件を満たすときも同様に、図１８のように更新する。
【０１２３】
しかし、入力元の媒体の種類が電子ペーパであれば、図１９のように、このグループに属するオブジェクト７Ｊｃをすべてマスクオブジェクト７Ｊｍで隠す。
【０１２４】
また、出力先の媒体の種類のみが電子ペーパであるが、出力先の電子ペーパ３のスペックが出力先スペック要件を満たさないときは、図２０のように、この電子ペーパ３のスペックに対応していない条件に係るオブジェクト７Ｊｃをマスクオブジェクト７Ｊｍで隠す。
【０１２５】
両面／ページ集約のグループ（小グループ）が選択された場合は、画面表示制御部１２１は、通常コピー時であれば、図２１のように、入力元の原稿面（読取面）、出力先の印刷面、および集約印刷（「Ｎｉｎ１印刷」または「Ｎ−ｕｐ印刷」）に関する条件を設定するためのオブジェクト７Ｊｃを配置することによって設定画面７を更新する。
【０１２６】
しかし、入力元の媒体の種類のみが電子ペーパであれば、図２２のように、原稿面が両面であるという条件のオブジェクト７Ｊｃ、原稿の開き方向に関する条件のオブジェクト７Ｊｃ、および原稿のセットの方向の条件に関するオブジェクト７Ｊｃをマスクオブジェクト７Ｊｍで隠す。つまり、電子ペーパには関連のない条件に関するオブジェクト７Ｊｃを隠す。
【０１２７】
また、出力先の媒体の種類のみが電子ペーパであれば、図２３のように、印刷面が両面であるという条件のオブジェクト７Ｊｃをマスクオブジェクト７Ｊｍで隠す。つまり、電子ペーパには関連のない条件に関するオブジェクト７Ｊｃを隠す。
【０１２８】
用紙のグループが選択された場合は、画面表示制御部１２１は、通常コピー時であれば、図２４のように、出力先として使用する一般用紙のサイズなどの条件に関するオブジェクト７Ｊｃを配置することによって設定画面７を更新する。入力元の媒体の種類のみが電子ペーパである場合も同様に更新する。
【０１２９】
しかし、出力先の媒体の種類が電子ペーパであれば、図２５のように、このグループに属するオブジェクト７Ｊｃをすべてマスクオブジェクト７Ｊｍで隠す。
【０１３０】
いずれかの給紙カセット１８２（図６参照）が選択され、さらに、この給紙カセット１８２に関する設定を変更するために「選択トレイの設定変更」のグループ（小グループ）が選択された場合は、画面表示制御部１２１は、通常コピー時であれば、図２６のように、選択された給紙カセット１８２に関する条件を設定するためのオブジェクト７Ｊｃを配置することによって設定画面７を更新する。入力元の媒体の種類のみが電子ペーパである場合も同様に更新する。
【０１３１】
しかし、出力先の媒体の種類が電子ペーパであれば、図２７のように、このグループに属するオブジェクト７Ｊｃをすべてマスクオブジェクト７Ｊｍで隠す。
【０１３２】
画質／濃度のグループが選択された場合は、画面表示制御部１２１は、通常コピー時であれば、図２８に示すように、原稿の読取りの際の条件を設定するためのオブジェクト７Ｊｃを配置することによって設定画面７を更新する。また、入力元の媒体の種類が電子ペーパであっても、出力先の媒体の種類が電子ペーパであっても、同様に更新する。
【０１３３】
応用設定のグループが選択された場合は、画面表示制御部１２１は、通常コピー時であれば、図２９に示すように、応用的な条件に関する設定のためのオブジェクト７Ｊｃを配置することによって設定画面７を更新する。また、入力元の媒体の種類が電子ペーパであっても、出力先の媒体の種類が電子ペーパであっても、同様に更新する。
【０１３４】
このように、画面表示制御部１２１は、入力元の媒体の種類が電子ペーパであれば、原稿に関する条件のオブジェクトのうち、電子ペーパに関係のないオブジェクトを隠す。具体的には、原稿の用紙（一般用紙）のサイズを指定するためのオブジェクト、原稿の用紙から読み取る画像のカラーまたはモノクロの種別を指定するためのオブジェクト、原稿の用紙の読取面が両面であることを指定するためのオブジェクト、原稿の用紙の加工（Ｚ折り、複数のサイズの混載、綴じ代など）を指定するためのオブジェクト、および原稿の用紙のセットの方向を指定するためのオブジェクトなどを隠す。一方、電子ペーパに関係のあるオブジェクトは、隠さずに配置する。具体的には、読取面が片面であることを指定するためのオブジェクト、原稿の画像の濃度を指定（調整）するためのオブジェクト、および原稿の種類（文字原稿、写真原稿、薄文字原稿など）を指定するためのオブジェクトなどは、隠さずに配置する。
【０１３５】
同様に、画面表示制御部１２１は、出力先の媒体の種類が電子ペーパであれば、原稿に関する条件のオブジェクトのうち、電子ペーパに関係のないオブジェクトを隠す。具体的には、出力先の用紙（一般用紙）のサイズを指定するためのオブジェクト、用紙の印刷面が両面であることを指定するためのオブジェクト、用紙の種類を指定するためのオブジェクト、および印刷物の仕上げを指定するためのオブジェクトなどを隠す。一方、電子ペーパに関係のあるオブジェクトは、隠さずに配置する。具体的には、印刷面が片面であることを示すオブジェクト、出力する画像のカラーまたはモノクロの種別を指定するためのオブジェクト、および拡大または縮小の倍率を指定するためのオブジェクトなどは、隠さずに配置する。
【０１３６】
ユーザは、設定画面７が表示されたタッチパネルディスプレイ１０ｅ２を操作することによって、種々の条件を設定することができる。
【０１３７】
処理条件設定部１２３は、ユーザが設定した条件を示すジョブ設定データ６Ｃを生成し、設定データ記憶部１３２に記憶させる。なお、設定データ記憶部１３２には、後述する省電力等設定データ６Ｅが予め記憶されている。
【０１３８】
〔省電力化の処理〕
図３０は、省電力等設定データ６Ｅの例を示す図である。
【０１３９】
省エネ処理部１２２は、省電力等設定データ６Ｅに基づいて、画像の読取り元および書込み先それぞれの媒体の種類に応じて省電力化の処理を実行する。
【０１４０】
省電力等設定データ６Ｅは、図３０に示すように、画像の入力元および出力先に応じた省電力の方法が示されている。
【０１４１】
具体的には、画像の入力元と出力先との組合せごとにレコードが用意されている。そして、レコードには、その組合せでジョブを実行する際の省電力の方法が「ＭＦＰ省エネモード」として示されている。
【０１４２】
ＭＦＰ省エネモードには、「定着ＯＦＦ」および「スキャナＯＦＦ」の２つがある。「定着ＯＦＦ」は、トナーを一般用紙へ定着させるための部位つまり主にプリンタユニット１０ｊへの電源の供給を停止することを、意味する。「スキャナＯＦＦ」は、スキャナユニット１０ｇへの電源の供給を停止することを、意味する。
【０１４３】
省エネ処理部１２２は、画像の入力元および出力先の組合せに係るレコードに示されるＭＦＰ省エネモードに従って、電力供給制御データ６７を電力供給部１０ｐへ送信する。具体的には、ＭＦＰ省エネモードとして「定着ＯＦＦ」が示される場合は、プリンタユニット１０ｊへの電力の供給を停止する旨の指令を示すデータを電力供給制御データ６７として送信する。「スキャナＯＦＦ」が示される場合は、スキャナユニット１０ｇへの電力の供給を停止する旨の指令を示すデータを電力供給制御データ６７として送信する。「定着ＯＦＦ」および「スキャナＯＦＦ」の両方が示される場合は、スキャナユニット１０ｇおよびプリンタユニット１０ｊへの電力の供給を停止する旨の指令を示すデータを電力供給制御データ６７として送信する。
【０１４４】
電力供給部１０ｐは、電力供給制御データ６７を受信すると、これに従ってスキャナユニット１０ｇおよびプリンタユニット１０ｊへの電力の供給を停止する。
【０１４５】
〔ジョブの実行〕
ところで、省電力等設定データ６Ｅには、図３０に示すように、さらに、画像の入力元および出力先の組合せごとに、実行すべき画像処理が「ＭＦＰ画像処理」として示されている。
【０１４６】
ＭＦＰ画像処理には、「入力画像処理」、「出力画像処理」、および「解像度変換処理」などがある。「入力画像処理」は、入力元から入力された画像に対して行う所定の画像処理である。「出力画像処理」は、出力先へ出力する画像に対して行う所定の画像処理である。「解像度変換処理」は、出力先へ出力する画像の解像度を変換する処理である。これは、出力画像処理の一部分である。
【０１４７】
ジョブ実行制御部１２４は、設定データ記憶部１３２に記憶されているジョブ設定データ６Ｃに基づいてコピージョブが実行されるように、大容量記憶装置１０ｄ、ネットワークインタフェース１０ｆ、スキャナユニット１０ｇ、入力画像処理部１０ｈ、出力画像処理部１０ｉ、プリンタユニット１０ｊ、およびファクシミリボード１０ｋなどのデバイスを制御する。
【０１４８】
具体的には、ジョブ実行制御部１２４は、入力元から画像の画像データが取得されるように各デバイスを制御する。省電力等設定データ６Ｅの中の入力元および出力先の組合せに係るレコードにＭＦＰ画像処理が示される場合は、そのＭＦＰ画像処理が実行されるように各デバイスを制御する。そして、ＭＦＰ画像処理が必要に応じて施された画像が出力されるように、各デバイスを制御する。
【０１４９】
図３１は、画像形成装置１における全体的な処理の流れの例を説明するフローチャートである。
【０１５０】
次に、画像形成装置１におけるジョブの実行の処理の全体的な流れを、文字、イラスト、および図表などの画像を含むドキュメントをコピーする場合を例に、図３１に示すフローチャートを参照しながら説明する。
【０１５１】
ユーザは、ドキュメントが記されている一般用紙をスキャナユニット１０ｇの所定の位置にセットする。または、ドキュメントが表示されている電子ペーパ３を原稿側（入力側）の特定の位置に置く。以下、この電子ペーパ３として電子ペーパ３Ａが使用される場合を例に説明する。なお、ユーザは、電子ペーパ３Ａを使用しない場合は、電子ペーパ３Ａの電源をオフにしておく。または、通信機能をオフにしておく。後述する電子ペーパ３Ｂについても、同様である。
【０１５２】
さらに、ユーザは、ドキュメントを印刷する一般用紙を給紙カセット１８２または手差し口１８３へセットする。または、ドキュメントの送り先の電子ペーパ３を、画像が表示されていない状態で出力側の特定の位置に置く。以下、この電子ペーパ３として電子ペーパ３Ｂが使用される場合を例に説明する。
【０１５３】
そして、ユーザは、コピージョブのモードに切り換えるためのコマンドを画像形成装置１に入力する。
【０１５４】
すると、画像形成装置１は、電子ペーパ３Ａおよび電子ペーパ３Ｂへステータス問合データ６１を送信することによって、表示に関するステータスのチェックを試みる（図３１の＃１１）。
【０１５５】
電子ペーパ３Ａ、３Ｂは、ステータス問合データ６１を受信すると、表示に関するステータスおよび自らの識別子を示すデータをステータスデータ６２として画像形成装置１へ返信する。
【０１５６】
画像形成装置１は、ステップ＃１１の処理と前後してまたは並行して、ペーパ検出センサ１０ｍによって、特定の場所に一般用紙または電子ペーパ３などの物体が置かれているか否かをチェックする（＃１２）。これにより、検出結果データ６４が得られる。
【０１５７】
画像形成装置１は、ステータスデータ６２および検出結果データ６４を取得すると、これらのデータに基づいて、入力元および出力先それぞれの媒体の種類を判別する（＃１３）。判別の処理の方法は、前に図９で説明した通りである。なお、ステータスデータ６２が１つも得られない場合は、入力元の媒体の種類も出力先の媒体の種類も一般用紙であると考えられる。よって、この場合は、図９で説明した通りの処理を行うことなく、両方とも一般用紙であると判別してもよい。
【０１５８】
入力元および出力先のうちの少なくとも一方の媒体の種類が電子ペーパである場合は、スペック問合データ６５を送信することによって、電子ペーパ３Ａまたは電子ペーパ３Ｂのスペックをチェックする（＃１４）。つまり、入力元の媒体の種類が電子ペーパであると判別された場合は、電子ペーパ３Ａに対してスペック問合データ６５を送信する。出力先の媒体の種類が電子ペーパであると判別された場合は、電子ペーパ３Ｂに対してスペック問合データ６５を送信する。
【０１５９】
電子ペーパ３Ａ、３Ｂは、スペック問合データ６５を受信すると、自らのスペックおよび識別子を示すデータをスペックデータ６６として画像形成装置１へ返信する。
【０１６０】
画像形成装置１は、上述の各ステップにおいて適宜取得したデータに基づいて、設定画面７を適宜編集して表示する（＃１５）。表示の処理の方法は、前に図１０および図１１で説明した通りである。
【０１６１】
ユーザは、設定画面７が表示されると、キー入力部１０ｅ１またはタッチパネルディスプレイ１０ｅ２を操作してコピージョブの条件などを入力する。画像形成装置１は、ユーザによる操作に応じて設定画面７の全体または一部を更新する。この際に、入力元および出力先それぞれの媒体の種類またはスペックに応じて一部のオブジェクト７Ｊを隠す。
【０１６２】
そして、画像形成装置１は、コピージョブの条件を受け付けると（＃１６）、入力元および出力先それぞれの媒体の種類に応じて省電力化の処理を行うとともに（＃１７）、受け付けた条件に基づいてコピージョブを実行する。そして、後処理を実行し（＃１８）、次のジョブが指示されるのを待つ。コピージョブを指示された場合は、上述の処理を最初から実行する。
【０１６３】
本実施形態によると、画像形成装置と電子ペーパとの連携のための画面を設計する際の開発者の負担を軽減することができる。また、新たな操作をユーザが覚える必要のない画面を提供することができる。
【０１６４】
本実施形態では、出力先の媒体として電子ペーパ３を使用する場合の条件として、この電子ペーパ３に画像を表示させないこととしたが、特定の画像、例えば、白紙を表わす画像を表示させることとしてもよい。
【０１６５】
本実施形態では、電子ペーパ３から画像を入力しまたは電子ペーパ３へ画像を出力する場合を例に説明したが、電子ペーパ３の代わりにタブレットＰＣ、スマートフォン、またはノート型パソコンなどを用いてもよい。
【０１６６】
本実施形態では、入力元および出力先それぞれの媒体の種類を画像形成装置１が検知したが、ユーザが画像形成装置１に対して指定するようにしてもよい。
【０１６７】
本実施形態では、電子ペーパに関係のない条件を指定するためのオブジェクト７Ｊを隠したが、電子ペーパに関係のある条件であっても必然的に選択肢が１つに絞られる場合は、この選択肢を選択するためのオブジェクト７Ｊも隠してもよい。例えば、読取面が片面であることを選択するオブジェクト７Ｊおよび印刷面が片面であることを選択するオブジェクト７Ｊを隠してもよい。
【０１６８】
本実施形態では、オブジェクト７Ｊを、このオブジェクト７Ｊの位置にマスクオブジェクト７Ｊｍを重ねることによって隠した。この方法は、設定画面７全体が１つの画像データによって表示する場合においても有効である。しかし、本実施形態のようにオブジェクトの単位で画像データを管理する場合は、このオブジェクト７Ｊを最初から配置しないことによってこのオブジェクト７Ｊを非表示にすることもできる。
【０１６９】
複数のビンを有するキャビネットが画像形成装置１に備わっている場合は、これらのビンのうちの特定のビンを、入力元の電子ペーパ３を置くための特定の場所としてもよい。同様に、出力先の電子ペーパ３を置くための特定の場所としてもよい。
【０１７０】
設定画面７の表示中に、入力元の媒体として使用される電子ペーパ３が入力側（原稿側）の特定の場所から取り除かれて検知されなくなった場合は、画像形成装置１は、入力元の媒体として一般用紙が使用される際の構成で設定画面７を表示し直してもよい。同様に、出力先の媒体として使用される電子ペーパ３が出力側の特定の場所から取り除かれて検知されなくなった場合は、画像形成装置１は、出力先の媒体として一般用紙が使用される際の構成で設定画面７を表示し直してもよい。
【０１７１】
また、設定画面７の表示中に、入力元の媒体として使用される電子ペーパ３が入力側の特定の場所から取り除かれて検知されなくなった場合は、電力供給部１０ｐは、スキャナユニット１０ｇの省電力を解除し、スキャナユニット１０ｇへの通常通りの電力の供給を再開してもよい。同様に、出力先の媒体として使用される電子ペーパ３が出力側の特定の場所から取り除かれて検知されなくなった場合は、電力供給部１０ｐは、プリンタユニット１０ｊの省電力を解除し、プリンタユニット１０ｊへの通常通りの電力の供給を再開してもよい。
【０１７２】
なお、電子ペーパ３が入力側の特定の場所から検知されなくなった場合は、原稿側フラグ６Ｆ１の値が「０」に更新される。同様に、電子ペーパ３が出力側の特定の場所から検知されなくなった場合は、出力側フラグ６Ｆ２の値が「０」に更新される。
【０１７３】
電子ペーパ３が入力元または出力先の媒体として使用されることをより確実に検知するために、無線基地局５３（図１参照）を画像形成装置１の隣に配置し、無線基地局５３の通信エリアを数十センチメートル〜数メートル程度に限ってもよい。または、無線基地局５３が複数台ある場合は、そのうちの１台を画像形成装置１の隣に配置し、通信エリアを数十センチメートル〜数メートル程度に限り、そして、この１台の無線基地局５３を介して画像形成装置１が通信を行う電子ペーパ３のみを入力元または出力先の媒体として検知するようにすればよい。
【０１７４】
本実施形態では、画像形成装置１と電子ペーパ３とは、いわゆるＬＡＮ（Local Area Network）回線を介して通信を行ったが、Ｂｌｕｅｔｏｏｔｈ（登録商標）またはワイヤレスＵＳＢ（Universal Serial Bus）などの近距離無線通信の規格の通信装置を設け、この規格に基づいて通信を行ってもよい。または、画像形成装置１および電子ペーパ３の両方にＵＳＢまたはＩＥＥＥ（Institute of Electrical and Electronics Engineers）１３９４などの有線の通信用のインタフェースが備わっている場合は、これを用いて通信を行ってもよい。
【０１７５】
図３２および図３３は、ファックス送信ジョブに関する設定のための設定画面７の表示の形態の例を示す図である。
【０１７６】
本実施形態では、コピージョブを例に説明したが、他のジョブの場合にも本発明を適用することができる。例えば、ファックス送信ジョブの場合において、入力元（原稿側）の媒体として電子ペーパ３を用いる場合は、画像形成装置１は、次のように設定画面７を編集し表示すればよい。
【０１７７】
入力元の媒体の種類が一般用紙である場合は、画像形成装置１は、従来通り、図３２のように、オブジェクトを隠すことなく設定画面７を表示する。しかし、入力元の媒体の種類が電子ペーパである場合は、図３３のように、原稿に関する条件を指定するためのオブジェクトを隠して設定画面７を表示する。
【０１７８】
その他、ネットワークシステムＮＳ、画像形成装置１、電子ペーパ３の全体または各部の構成、処理内容、処理順序、設定画面７の構成などは、本発明の趣旨に沿って適宜変更することができる。
【符号の説明】
【０１７９】
１  画像形成装置（画像出力装置、画像入力装置、コンピュータ）
１０ｅ２  タッチパネルディスプレイ（画面表示手段）
１０ｆ  ネットワークインタフェース（対象画像取得手段、画像データ出力手段、画像データ取得手段）
１０ｇ  スキャナユニット（対象画像取得手段、画像読取手段）
１０ｊ  プリンタユニット（印刷手段）
１０ｍ  ペーパ検出センサ（検知手段）
１０３  ペーパ種別判別部（検知手段）
１２１  画面表示制御部（画面表示手段、表示処理手段）
１２２  省エネ処理部（省電力手段）
１２４  ジョブ実行制御部（対象画像取得手段、画像データ出力手段、画像データ取得手段）
１３１  画面データ記憶部（画面データ記憶手段）
３  電子ペーパ
６ＳＤ  画面データ
７  設定画面
７Ｊ  オブジェクト
【図１】
0005488623.tif 000002
【図２】
0005488623.tif 000003
【図３】
0005488623.tif 000004
【図４】
0005488623.tif 000005
【図５】
0005488623.tif 000006
【図６】
0005488623.tif 000007
【図７】
0005488623.tif 000008
【図８】
0005488623.tif 000009
【図９】
0005488623.tif 000010
【図１０】
0005488623.tif 000011
【図１１】
0005488623.tif 000012
【図１２】
0005488623.tif 000013
【図１３】
0005488623.tif 000014
【図１４】
0005488623.tif 000015
【図１５】
0005488623.tif 000016
【図１６】
0005488623.tif 000017
【図１７】
0005488623.tif 000018
【図１８】
0005488623.tif 000019
【図１９】
0005488623.tif 000020
【図２０】
0005488623.tif 000021
【図２１】
0005488623.tif 000022
【図２２】
0005488623.tif 000023
【図２３】
0005488623.tif 000024
【図２４】
0005488623.tif 000025
【図２５】
0005488623.tif 000026
【図２６】
0005488623.tif 000027
【図２７】
0005488623.tif 000028
【図２８】
0005488623.tif 000029
【図２９】
0005488623.tif 000030
【図３０】
0005488623.tif 000031
【図３１】
0005488623.tif 000032
【図３２】
0005488623.tif 000033
【図３３】
0005488623.tif 000034